(57)【要約】      （修正有）【課題】表示及び／又は形状の異なる複数のラベルを剥離シート上に剥離可能に設け、各ラベルを容器のキャップに取り付けてキャップの開閉が適切に行えるようにしたり、製品に設けられたコード及び／又は差込プラグに取り付けて、どの製品のコードや差込プラグであるかを簡単に判別できる組合せラベルセットを提供する。【解決手段】組合せラベルセットとして、表示及び／又は形状の異なる複数の特定の表示を有するラベル２０を剥離シート１０上に剥離可能に設けた。【選択図】図１
0003149284.tif 000002
【実用新案登録請求の範囲】
【請求項１】
表示及び／又は形状の異なる複数の特定の表示を有するラベルが剥離シート上に剥離可能に設けられていることを特徴とする組合せラベルセット。
【請求項２】
請求項１に記載した組合せラベルセットにおいて、上記の各ラベルが容器のキャップに取り付けられるキャップ装着用ラベルであって、各ラベルにキャップの開放方向を示す表示部が設けられると共に、各ラベルの表面に滑り止め加工が施されていることを特徴とする組合せラベルセット。
【請求項３】
請求項２に記載した組合せラベルセットにおいて、上記の表示部にキャップの開放方向を示す文字及び／又は矢印が設けられていることを特徴とする組合せラベルセット。
【請求項４】
請求項１に記載した組合せラベルセットにおいて、上記の各ラベルが各製品に設けられたコードに取り付けられるコード装着用ラベル及び／又は差込プラグに取り付けられる差込プラグ装着用ラベルであって、各ラベルにそれぞれの製品を示す表示部が設けられていることを特徴とする組合せラベルセット。
【請求項５】
請求項４に記載した組合せラベルセットにおいて、上記の表示部に製品を示す文字及び／又はピクトグラムが設けられていることを特徴とする組合せラベルセット。
【請求項６】
請求項４又は請求項５に記載した組合せラベルセットにおいて、各製品に設けられたコードに取り付けられるコード装着用ラベルに、コードに巻き付ける巻付け部が設けられていることを特徴と組合せラベルセット。
【考案の詳細な説明】
【技術分野】
【０００１】
この考案は、表示及び／又は形状の異なる複数のラベルが剥離シート上に剥離可能に設けられていることを特徴とする組合せラベルセットに係り、特に、各容器のキャップに取り付けて、キャップの開閉が適切に行えるようにしたり、各製品に設けられたコード及び／又は差込プラグに取り付けて、どの製品のコードや差込プラグであるかを判別したりすることが簡単に行えるようにした点に特徴を有するものである。
【背景技術】
【０００２】
従来から、様々な製品の内容や品質等の表示を行うために、それぞれの製品に対応して各種の表示を行ったラベルを取り付けることが行われている。
【０００３】
ここで、このようなラベルにおいては、一般に特定の表示を行った一種類のラベルを剥離シート上に剥離可能に設けるようにしている。
【０００４】
このため、様々な製品にそれぞれ異なったラベルを貼付させる場合には、剥離シート上に剥離可能に設けられた複数の種類のラベルを準備し、各製品に対応させて適切なラベルを貼付させることが必要になり、様々な製品にそれぞれ異なったラベルを貼付させる作業が非常に面倒であった。
【０００５】
また、従来のラベルは、一般に製品に貼付させて、その製品の内容や品質等の表示を行うだけであり、その用途が限定されており、例えば、容器のキャップに取り付けて、キャップの開閉が簡単に適切に行えるようにしたり、各製品に設けられたコード及び／又は差込プラグに取り付けて、どの製品のコードや差込プラグであるかを簡単に判別できるようにしたりする等の様々な用途に使用することはできなかった。
【０００６】
また、従来においては、特許文献１に示されるように、裏面に粘着層が設けられた表面シートに、付加事項を記入する複数の吹き出しシールと、日付等を記入する日付シールと、タイトル等を記入するタイトルシールとを裏面シートに剥離可能に設けたシールが提案されている。
【０００７】
しかし、このようなシールも、上記のような各シールに適当な書き込みを行ってアルバムの整理等に使用するためのものであり、その用途が限定されており、様々な製品に対応させて適切なラベルを貼付させることができず、また従来のラベルと同様に、各容器のキャップに取り付けて、キャップの開閉が適切に行えるようにしたり、各製品に設けられたコード及び／又は差込プラグに取り付けて、どの製品のコードや差込プラグであるかを簡単に判別できるようにしたりする等の様々な用途に使用することはできなかった。
【先行技術文献】
【特許文献】
【０００８】
【特許文献１】実開平４−１１９４７５号公報
【考案の開示】
【考案が解決しようとする課題】
【０００９】
この考案は、表示及び／又は形状の異なる複数のラベルが剥離シート上に剥離可能に設けられていることを特徴とする組合せラベルセットに係り、各容器のキャップに取り付けてキャップの開閉が適切に行えるようにしたり、各製品に設けられたコード及び／又は差込プラグに取り付けて、どの製品のコードや差込プラグであるかを簡単に判別できるようにしたりする等、各ラベルを様々な用途に使用できるようにすることを課題とするものである。
【課題を解決するための手段】
【００１０】
この考案における組合せラベルセットにおいては、上記のような課題を解決するため、表示及び／又は形状の異なる複数の特定の表示を有するラベルを剥離シート上に剥離可能に設けるようにした。
【００１１】
ここで、上記の組合せラベルセットにおいて、各ラベルを容器のキャップに取り付けるキャップ装着用ラベルとして使用する場合には、各ラベルにキャップの開放方向を示す表示部を設けると共に、各ラベルの表面に滑り止め加工を施こすようにすることができる。
【００１２】
そして、このように容器のキャップに取り付けるキャップ装着用ラベルにおいては、その表示部に、キャップの開放方向を示す文字及び／又は矢印などを設けるようにすることができる。
【００１３】
また、上記のような組合せラベルセットにおいて、各ラベルを各製品に設けられたコードに取り付けるコード装着用ラベルや、コードに設けられた差込プラグに取り付ける差込プラグ装着用ラベルとして使用する場合には、各ラベルにそれぞれの製品を示す表示を設けるようにすることができる。
【００１４】
そして、このようにコードに取り付けるコード装着用ラベルや、差込プラグに取り付ける差込プラグ装着用ラベルにおいては、その表示部に、製品を示す文字及び／又はピクトグラムを設けるようにすることができる。
【００１５】
また、各製品に設けられたコードに取り付けるコード装着用ラベルについては、コードに巻き付ける巻付け部を設けるようにすることができる。
【考案の効果】
【００１６】
この考案における組合せラベルセットにおいては、上記のように表示及び／又は形状の異なる複数の特定の表示を有するラベルを剥離シート上に剥離可能に設けたため、このように表示や形状の異なる各ラベルをそれぞれ対応する製品などに貼付させて、各製品を適切に識別させることができるようになる。
【００１７】
また、この組合せラベルセットにおいて、各ラベルが容器のキャップに取り付けられるキャップ装着用ラベルである場合には、各ラベルにおける表示や形状に対応させて、各キャップ装着用ラベルを適切な容器のキャップに取り付けることができ、また各キャップ装着用ラベルにキャップの開放方向を示す表示部を設けると共に、各キャップ装着用ラベルの表面に滑り止め加工を施こすと、容器からキャップを取り外したり、キャップを容器に取り付けたりする操作が簡単に行えるようになる。
【００１８】
また、この組合せラベルセットにおいて、各ラベルを各製品に設けられたコードに取り付けるコード装着用ラベルや、コードに設けられた差込プラグに取り付ける差込プラグ装着用ラベルとして使用する場合には、各ラベルにおける表示や形状に対応させて、各ラベルをそれぞれ対応した製品に設けられたコードや差込プラグに取り付けることができ、それぞれのコードや差込プラグに取り付けられた各ラベルにより、どの製品のコードや差込プラグであるかを簡単に判別できるようになる。
【００１９】
また、各製品に設けられたコードに取り付けるコード装着用ラベルや、コードに設けられた差込プラグに取り付ける差込プラグ装着用ラベルの表示部に製品を示す文字及び／又はピクトグラムを設けると、それぞれのコードや差込プラグに取り付けられた各ラベルにおける表示部を見て、どの製品のコードや差込プラグであるかをより簡単に判別できるようになる。
【００２０】
また、上記のコード装着用ラベルに、コードに巻き付ける巻付け部を設けると、このような巻付け部によってこのコード装着用ラベルを各製品に設けられたコードに適切に取り付けることができるようになる。
【図面の簡単な説明】
【００２１】
【図１】この考案の実施形態１に係る組合せラベルセットを示した概略平面図である。
【図２】上記の実施形態１の組合せラベルセットにおいて、キャップ装着用ラベルが剥離シートに剥離可能に貼付された状態を示した概略説明図である。
【図３】実施形態１の組合せラベルセットにおけるキャップ装着用ラベルが取り付けられるキャップの外周長が長い広口の容器の概略斜視図である。
【図４】図３に示した容器のキャップに取り付けるキャップ装着用ラベルを示した概略平面図である。
【図５】図３に示した容器のキャップに図４に示したキャップ装着用ラベルを取り付けた状態を示した概略正面図である。
【図６】実施形態１の組合せラベルセットにおけるキャップ装着用ラベルが取り付けられるキャップの外周長が短い狭口で容器の概略斜視図である。
【図７】図６に示した容器のキャップに取り付けるキャップ装着用ラベルを示した概略平面図である。
【図８】図６に示した容器のキャップに図7に示したキャップ装着用ラベルを取り付けた状態を示した概略正面図である。
【図９】この考案の実施形態２に係る組合せラベルセットを示した概略平面図である。
【図１０】上記の実施形態２の組合せラベルセットにおいて、コード装着用ラベル及び差込プラグ装着用ラベルが剥離シートに剥離可能に貼付された状態を示した概略説明図である。
【図１１】上記の実施形態２の組合せラベルセットにおいて、テレビのコードやこのコードに接続された差込プラグに適切なコード装着用ラベルや差込プラグ装着用ラベルを取り付けた状態を示した概略説明図である。
【図１２】上記の実施形態２の組合せラベルセットにおいて、パソコンのコードやこのコードに接続された差込プラグに適切なコード装着用ラベルや差込プラグ装着用ラベルを取り付けた状態を示した概略説明図である。
【考案を実施するための最良の形態】
【００２２】
以下、この考案の実施形態に係る組合せラベルセットを添付図面に基づいて具体的に説明する。なお、この考案に係る組合せラベルセットは、特に下記の実施形態に示したものに限定されるものではなく、その要旨を変更しない範囲において適宜変更して実施できるものである。
【００２３】
（実施形態１）
実施形態１の組合せラベルセットにおいては、図１に示すように、１枚の大きな剥離シート１０の上にラベル２０として、長さや平面形状が異なる４種類のキャップ装着用ラベル２０Ａ〜２０Ｄが剥離可能に貼付されている。
【００２４】
そして、上記の各キャップ装着用ラベル２０Ａ〜２０Ｄの表面には、容器１に装着されたキャップ１ａの開放方向を示す矢印や、「ＯＰＥＮ」、「開く」、「開」、「ひらく」などの文字を示した表示部２１が設けられており、またこれらの各キャップ装着用ラベル２０Ａ〜２０Ｄにおいては、それぞれ上記の表示部２１における色彩や色彩の組合せなどを異ならせた数種類のものを設けている。
【００２５】
そして、上記の各キャップ装着用ラベル２０Ａ〜２０Ｄにおいては、図２に示すように、粘着層２２を介して上記の表示部２１の印刷を施したラベル基材２３を剥離シート１０の上に剥離可能に貼付させると共に、印刷を施した上記のラベル基材２３の表面に滑り止め加工を施している。
【００２６】
ここで、ラベル基材２３の表面に滑り止め加工を施すにあたり、この実施形態においては、ラベル基材２３の表面に、紫外線硬化樹脂等の摩擦抵抗の高い高摩擦抵抗層２４を設けている。なお、滑り止め加工はこのようなものに限定されず、例えば、表面に凹凸が設けられた高摩擦抵抗層２４を設けるようにすることも可能である。
【００２７】
そして、この実施形態の組合せラベルセットにおいては、容器1におけるキャップ１ａの大きさに対応させて、上記の４種類のキャップ装着用ラベル２０Ａ〜２０Ｄの中から適当な長さのものを選択すると共に、その容器１内に収容された収容物に応じて、適当な色彩や色彩の組合せになったものを選択して剥離シート１０から剥離させる。
【００２８】
そして、このように剥離させたキャップ装着用ラベル２０Ａ〜２０Ｄの表示部２１に表示された開放方向を示す矢印がキャップ１ａの開放方向に対応するようにして、キャップ装着用ラベル２０Ａ〜２０Ｄを上記の粘着層２２により容器1におけるキャップ１ａの外周に沿って取り付けるようにする。
【００２９】
ここで、図３に示すようなキャップ１ａの外周長が長い広口の容器１の場合には、例えば、図４に示すような長さが長いキャップ装着用ラベル２０Ｄを上記の剥離シート１０から剥離させ、図５に示すように、このキャップ装着用ラベル２０Ｄの表示部２１に表示された開放方向を示す矢印が上記のキャップ１ａの開放方向に対応するようにして、このラベル２０Ｄをキャップ１ａの外周に取り付けるようにする。
【００３０】
また、図６に示すようなキャップ１ａの外周長が短い狭口の容器１の場合には、例えば、図７に示すような長さが短いキャップ装着用ラベル２０Ｂを上記の剥離シート１０から剥離させ、図８に示すように、このキャップ装着用ラベル２０Ｂの表示部２１に表示された開放方向を示す矢印が上記のキャップ１ａの開放方向に対応するようにして、このキャップ装着用ラベル２０Ｂをキャップ１ａの外周に取り付けるようにする。
【００３１】
そして、上記のようにキャップ装着用ラベル２０Ａ〜２０Ｄの表示部２１に表示された開放方向を示す矢印がキャップ１ａの開放方向に対応するようにして、各キャップ装着用ラベル２０Ａ〜２０Ｄを粘着層２２により容器1におけるキャップ１ａの外周に沿って取り付けると、キャップ１ａを開放させる方向を、各キャップ装着用ラベル２０Ａ〜２０Ｄの表示部２１に表示された開放方向を示す矢印などによって簡単に確認することができるようになる。
【００３２】
また、このキャップ１ａを回転させて容器１から取り外す場合には、前記のようにラベル基材２３の表面に摩擦抵抗の高い高摩擦抵抗層２４が設けられているため、この高摩擦抵抗層２４によりキャップ１ａの滑りが抑制され、キャップ１ａを容器１から簡単に取り外すことができるようになる。
【００３３】
（実施形態２）
実施形態２の組合せラベルセットにおいては、図９に示すように、１枚の大きな剥離シート１０の上にラベル２０として、各製品のコード３に取り付けるコード装着用ラベル２０Ｅと、各コード３に接続された差込プラグ４に取り付ける差込プラグ装着用ラベル２０Ｆとからなる形状が異なる２種類のラベル２０Ｅ，２０Ｆが剥離可能に貼付されている。
【００３４】
そして、上記の各コード装着用ラベル２０Ｅにおいては、「テレビ」、「ＤＶＤ」、「ライト」、「電話」等の各製品名を示した文字と共に各製品を表わすピクトグラムを示した表示部２１が設けられており、コード３に巻き付ける巻付け部２５ａに上記の文字が表示されると共に、この巻付け部２５ａの両端における円形状になった膨出部２５ｂに上記のピクトグラムが表示されている。
【００３５】
一方、上記の各差込プラグ装着用ラベル２０Ｆは円形状に形成されており、その中央部に各製品を表わすピクトグラムを示した表示部２１が設けられている。
【００３６】
また、上記のコード装着用ラベル２０Ｅ及び差込プラグ装着用ラベル２０Ｆにおいては、図１０に示すように、粘着層２２を介して上記の表示部２１の印刷を施したラベル基材２３を剥離シート１０の上に剥離可能に貼付させている。
【００３７】
そして、この実施形態の組合せラベルセットにおいて、製品に設けられたコード３やこのコード３に接続された差込プラグ４に、上記のコード装着用ラベル２０Ｅや差込プラグ装着用ラベル２０Ｆを取り付けるにあたっては、各コード装着用ラベル２０Ｅの表示部２１に表示されている上記の文字及びピクトグラムを参照し、コード３が取り付けられている製品に対応したコード装着用ラベル２０Ｅを選択して上記の剥離シート１０から剥離させると共に、各差込プラグ装着用ラベル２０Ｆの表示部２１に表示されている上記のピクトグラムを参照し、上記のコード３に接続された差込プラグ４の製品に対応した差込プラグ装着用ラベル２０Ｆを選択して上記の剥離シート１０から剥離させる。
【００３８】
そして、このように剥離させたコード装着用ラベル２０Ｅをコード３に取り付けると共に、剥離させた差込プラグ装着用ラベル２０Ｆを、上記のコード３に接続された差込プラグ４に取り付けるようにする。
【００３９】
ここで、例えば、図１１に示すように、テレビのコード３やこのコード３に接続された差込プラグ４に上記のコード装着用ラベル２０Ｅや差込プラグ装着用ラベル２０Ｆを取り付けるにあたっては、表示部２１にテレビの文字及びテレビのピクトグラムが表示されているコード装着用ラベル２０Ｅを剥離シート１０から剥離させると共に、表示部２１にテレビのピクトグラムが表示されている差込プラグ装着用ラベル２０Ｆを剥離シート１０から剥離させる。
【００４０】
そして、上記のように剥離させたコード装着用ラベル２０Ｅにおける巻付け部２５ａをコード３に巻き付けるようにして取り付け、この巻付け部２５ａの両端における膨出部２５ｂ相互を接着させて、このコード装着用ラベル２０Ｅをテレビのコード３に取り付けるようにすると共に、上記のように剥離させた差込プラグ装着用ラベル２０Ｆをこのコード３に接続された差込プラグ４に取り付けるようにする。
【００４１】
また、図１２に示すように、パソコンのコード３やこのコード３に接続された差込プラグ４に上記のコード装着用ラベル２０Ｅや差込プラグ装着用ラベル２０Ｆを取り付けるにあたっては、表示部２１にパソコンの文字及びパソコンのピクトグラムが表示されているコード装着用ラベル２０Ｅを剥離シート１０から剥離させると共に、表示部２１にパソコンのピクトグラムが表示されている差込プラグ装着用ラベル２０Ｆを剥離シート１０から剥離させる。
【００４２】
そして、上記のように剥離させたコード装着用ラベル２０Ｅにおける巻付け部２５ａをコード３に巻き付けるようにして取り付け、この巻付け部２５ａの両端における膨出部２５ｂ相互を接着させて、このコード装着用ラベル２０Ｅをパソコンのコード３に取り付けるようにすると共に、上記のように剥離させた差込プラグ装着用ラベル２０Ｆをこのコード３に接続された差込プラグ４に取り付けるようにする。
【００４３】
このようにして各製品に設けられたコード３やこのコード３に接続された差込プラグ４に対して、それぞれ適切なコード装着用ラベル２０Ｅや差込プラグ装着用ラベル２０Ｆを選択して取り付けると、コード３やこのコード３に接続された差込プラグ４に取り付けられた上記のコード装着用ラベル２０Ｅや差込プラグ装着用ラベル２０Ｆを見て、このコード３や差込プラグ４がどの製品のものであるかを簡単に判別することができるようになる。
【００４４】
この結果、コード３やコード３に接続された差込プラグ４を抜き差しする際に、誤った製品のコード３や差込プラグ４を抜き差しするのが確実に防止されるようになる。
【符号の説明】
【００４５】
１  容器
１ａ  キャップ
３  コード
４  差込プラグ
１０  剥離シート
２０  ラベル
２０Ａ〜２０Ｄ  キャップ装着用ラベル
２０Ｅ  コード装着用ラベル
２０Ｆ  差込プラグ装着用ラベル
２１  表示部
２２  粘着層
２３  ラベル基材
２４  高摩擦抵抗層
２５ａ  巻付け部
２５ｂ  膨出部
【図１】
0003149284.tif 000003
【図２】
0003149284.tif 000004
【図３】
0003149284.tif 000005
【図４】
0003149284.tif 000006
【図５】
0003149284.tif 000007
【図６】
0003149284.tif 000008
【図７】
0003149284.tif 000009
【図８】
0003149284.tif 000010
【図９】
0003149284.tif 000011
【図１０】
0003149284.tif 000012
【図１１】
0003149284.tif 000013
【図１２】
0003149284.tif 000014